(57)【特許請求の範囲】
【請求項１】
上部開口を閉塞するように蓋体を装着して成る蓋付き容器において、
容器本体の上部開口の周縁部において半径方向外周側に突出するように設けられている被係合部と、
前記蓋体の外周壁の内周面に形成されており、前記容器本体の被係合部と係合されるアンダーカットの係合爪と、
前記蓋体の外周壁の前記係合爪が形成されている部分を分離切断するための切断誘導部と、
を具備し、前記係合爪は逆スカート状であって、その断面形状が基端側の方が肉厚で先端の方が肉薄になっており、前記蓋体の周方向に沿って間欠的に形成され、
前記蓋体には半径方向外周側に突出するように押え部が形成され、該押え部が周方向の前記係合爪が欠如する位置で前記容器本体の開口の周縁部を内側から外周側に押圧することを特徴とする蓋付き容器。
【請求項２】
前記切断誘導部は前記外周壁と前記蓋体の外周側上面部とのエッジの部分に形成されている周方向の薄肉部と、前記外周壁の円周方向の所定の位置を切断する縦方向の薄肉部とから構成されていることを特徴とする請求項１に記載の蓋付き容器。
【請求項３】
上部開口を閉塞するように蓋体を装着して成る蓋付き容器において、
容器本体の上部開口の周縁部において半径方向外周側に突出するように設けられている被係合部と、
前記蓋体の外周壁の内周面に形成されており、前記容器本体の被係合部と係合される係合用リブと、
前記蓋体の外周壁の先端側の内周面に形成されており、前記容器本体の被係合部を乗越えて前記蓋体の脱落を防止するアンダーカットの係合爪と、
前記蓋体の外周壁の前記係合爪が形成されている部分を分離切断する切断誘導部と、
を具備し、前記係合爪は逆スカート状であって、その断面形状が基端側の方が肉厚で先端の方が肉薄になっており、前記蓋体の周方向に沿って間欠的に形成され、
前記切断誘導部は前記外周壁の高さ方向の中間位置に形成されている周方向の薄肉部と、前記周方向の薄肉部と前記外周壁の先端部とを連結する縦方向の薄肉部とから構成されていることを特徴とする蓋付き容器。
【請求項４】
前記外周壁には高さ方向の中間位置に段差が形成されており、該段差に前記周方向の薄肉部が形成されていることを特徴とする請求項３に記載の蓋付き容器。
【発明の詳細な説明】
【０００１】
【発明の属する技術分野】
本発明は蓋付き容器に係り、とくに上部開口を閉塞するように蓋体を装着して成る蓋付き容器に関する。
【０００２】
【従来の技術】
各種の食品や飲料等を供給するために、使捨て式の簡易容器が広く用いられている。このような容器は上部が開口になっており、この開口の部分を適当な蓋体あるいは蓋材によって閉塞シールするようにしている。例えばカップ状をなす紙製の簡易容器においては、その上部に着脱可能に合成樹脂製の蓋体が装着されるようになっている。
【０００３】
流通段階、あるいは販売中において、このような容器の蓋体が取外されるとともに、中に異物を混入して再び蓋体を装着すると、内容物の品質保証ができなくなり、あるいはまた事故の発生につながる。従って各種の食品や飲料等を供給するための簡易容器においては、蓋体を一旦開いたならば再び装着することができないようにし、あるいはまた装着したことが目視によって容易に確認できるようにすることが必要になる。このような蓋体に要求される性質がエビデンス性と称されている。
【０００４】
このような蓋体に対するエビデンス性を持たせるためには、紙製の蓋板に樹脂フィルムをラミネートするとともに、このような樹脂フィルムを容器のフランジの部分と接合して溶着シールすればよい。あるいはまたアルミニウムあるいは合成樹脂製のフィルムを容器本体の周縁部に形成されているフランジの部分に熱シールして接合すればよい。さらには蓋体を被せた後に、シュリンクフィルムによってシュリンク包装を行なうようにしてもよい。
【０００５】
【発明が解決しようとする課題】
このような従来のエビデンス性を持たせるシールの方法は、熱を用いてシールを行なわなければならないという問題があった。また容器の上部開口を閉塞する蓋体それ自身はエビデンス性をもっていなかった。エビデンス性を蓋体に付与するとともに、このような蓋体を装着するようにすると、副材が必要になる問題があった。またエビデンス性をもたせ、蓋体を装着するには別工程を必要とし、これによってシールの工程数が増大する欠点があった。
【０００６】
また蓋体それ自身に係合手段を設けると、成形が困難になるという欠点があった。例えば蓋体６５の外周壁６６の内周面に係合用リブ６７を図１３および図１４のように形成する場合には、コア５４から取外す際に、係合用リブ６７がコア５４の外周部に設けられている凹部５５に係合するために、取出しリング５６によつて大きな力を加え、図１４に示すように蓋体６５を変形させるようにしていた。すなわち取出しリング５６によって無理矢理蓋体６５を変形させて取外すようにしていた。
【０００７】
このように蓋体６５に無理な力を与えるのを防止するために、図１５および図１６に示すような分割型５８を用いることが試みられていた。分割型５８の中心部には円錐台状コア５９が組合わされ、成形後に図１６に示すように円錐台状コア５９を分割型５８に対して軸線方向下方に移動し、この後に分割型５８を半径方向中心側に移動させることによって成形された蓋体６５をコアから分離するようにしていた。
【０００８】
分割型５８を用いない場合には、図１７に示すような入子６２をコア５４と組合わせて用いる。すなわち入子６２の下面で蓋体６５の外周壁６６の内周面にアンダーカットの係合爪６８を形成するようにしており、この後に入子６２を取外すことによってコア５４から蓋体６５を取出しリング５６によって取出すようにしていた。この場合には蓋体６５の外周壁６６の係合爪６８の上側に開口６９が形成される欠点がある。
【０００９】
本発明はこのような問題点に鑑みてなされたものであって、蓋体それ自身がエビデンス性を有し、熱シールを行なう副材を必要としない蓋付き容器を提供することを目的とする。
【００１０】
【課題を解決するための手段】
本発明は、上部開口を閉塞するように蓋体を装着して成る蓋付き容器において、
容器本体の上部開口の周縁部において半径方向外周側に突出するように設けられている被係合部と、
前記蓋体の外周壁の内周面に形成されており、前記容器本体の被係合部と係合されるアンダーカットの係合爪と、
前記蓋体の外周壁の前記係合爪が形成されている部分を分離切断するための切断誘導部と、
を具備し、前記係合爪は逆スカート状であって、その断面形状が基端側の方が肉厚で先端の方が肉薄になっており、前記蓋体の周方向に沿って間欠的に形成され、
前記蓋体には半径方向外周側に突出するように押え部が形成され、該押え部が周方向の前記係合爪が欠如する位置で前記容器本体の開口の周縁部を内側から外周側に押圧することを特徴とする蓋付き容器に関するものである。
【００１１】
前記切断誘導部は前記外周壁と前記蓋体の外周側上面部とのエッジの部分に形成されている周方向の薄肉部と、前記外周壁の円周方向の所定の位置を切断する縦方向の薄肉部とから構成されていてよい。
【００１３】
別の発明は、上部開口を閉塞するように蓋体を装着して成る蓋付き容器において、
容器本体の上部開口の周縁部において半径方向外周側に突出するように設けられている被係合部と、
前記蓋体の外周壁の内周面に形成されており、前記容器本体の被係合部と係合される係合用リブと、
前記蓋体の外周壁の先端側の内周面に形成されており、前記容器本体の被係合部を乗越えて前記蓋体の脱落を防止するアンダーカットの係合爪と、
前記蓋体の外周壁の前記係合爪が形成されている部分を分離切断する切断誘導部と、
を具備し、前記係合爪は逆スカート状であって、その断面形状が基端側の方が肉厚で先端の方が肉薄になっており、前記蓋体の周方向に沿って間欠的に形成され、
前記切断誘導部は前記外周壁の高さ方向の中間位置に形成されている周方向の薄肉部と、前記周方向の薄肉部と前記外周壁の先端部とを連結する縦方向の薄肉部とから構成されていることを特徴とする蓋付き容器に関するものである。
【００１５】
前記外周壁には高さ方向の中間位置に段差が形成されており、該段差に前記周方向の薄肉部が形成されていてよい。
【００１７】
【発明の実施の形態】
図１〜図５は本発明の一実施の形態に係る蓋付き容器を示している。この蓋付き容器は紙を主材料とするカップ状の容器本体１０と、蓋体１１とから構成されている。蓋体１１は合成樹脂成形体から成り、上記容器本体１０の上部開口１２を覆うようになっている。
【００１８】
容器本体１０は扇形の原紙をカップ状に成形したものであって、その上部開口１２の周縁部が外側に巻かれてカール部１６から成る被係合部が形成されている。またこの容器本体１０の底部は図３に示す底板１７によって閉塞されている。底板１７の外周側には下方に折曲げられるように周璧部１８が連設されるとともに、この周璧部１８を容器本体１０の下端側の部分を折返して成る折返し部１９によって挟着するようにしている。
【００１９】
次に容器本体１０の上部開口１２に装着される蓋体１１について説明すると、合成樹脂の射出成形体から成る蓋体１１はその上面に円形の凹部２３が形成されるとともに、この凹部２３の外周側には内側壁部２４が直立して設けられており、さらに内側壁部２４の上端には平面状をなす上面部２５が連設されている。そして上面部２５の外周側には外周壁２６が一体に連設されている。すなわち蓋体１１はその外周側の部分が内側壁部２４と上面部２５と、外周壁２６とによって断面コ字状の部分が形成され、このようなコ字状の部分が容器本体１０の上部開口１２の周縁部に係合され、これによって容器本体１０に蓋体１１が装着されるようになっている。
【００２０】
蓋体１１の外周壁２６の内周面には円周方向に沿って８個の係合爪３０が間欠的に形成されている。そしてこれらの係合爪３０の一方の側端に近接するように内側壁部２４から外周側に突出するように押え部３１が突出されている。このような押え部３１は容器本体１０の開口縁部に形成されているカール部１６の内周側を内側から外周側に向けて押圧するようになっている。
【００２１】
しかも蓋体１１には上記係合爪３０が内周面に設けられている外周壁２６の上端と上面部２５との接合部に周方向薄肉部３２が形成されている。また蓋体１１の外周側の所定の位置には縦方向薄肉部３３が形成されている。さらに外周壁２６の外周面であって縦方向薄肉部３３に近接する位置には３本のリブ３４が形成されるようになっている。
【００２２】
このように本実施の形態に係る容器本体１０の上部開口１２に装着される蓋体１１は、合成樹脂成形体から構成されるとともに、その外周壁２６にアンダーカットの係合爪３０が形成され、しかも外周壁２６の上側の部分であって上面部２５との接合部には周方向薄肉部３２が、また外周壁２６の円周方向の所定の位置には縦方向薄肉部３３がそれぞれ形成されている。
【００２３】
容器本体１０内には所定の内容物、例えば飲料あるいは食品等が充填されるとともに、このような状態において上部開口１２を蓋体１１によって閉塞するようにしている。蓋体１１を静かに上部開口１２を閉塞するように容器本体１０の上面に係合させると、カール部１６が内側壁部２４と上面部２５と外周壁２６とによって囲まれるコ字状の凹部内に侵入する。このときに押え部３１がカール部１６の内周側の部分を外周側に向って押圧するようにし、係合爪３０が図４に示すようにカール部１６を乗越えることになる。
【００２４】
上述の如く係合爪３０はアンダーカットの爪になっており、装着する際にはカール部１６を乗越えるものの、蓋体１１をカール部１６を越えて取外すことができないようになっている。このような構造によって蓋体１１に対してエビデンス性が付与される。
【００２５】
このような蓋体１１が装着されている容器本体１０を開封し、内容物を飲食する場合には、図１および図２において鎖線で示すように、蓋体１１の外周壁２６の縦方向壁部３３の部分をまず破断する。そしてこの後に破断された外周壁の部分を指で引張りながらさらに周方向薄肉部３２に沿って外周壁２６を蓋体１１から図５に示すように分離する。周方向薄肉部３２が蓋体１１の外周壁の全周に延びるように形成されているために、周方向薄肉部３２に沿って外周壁２６を完全に取外すことができる。これによって容器本体１０のカール部１６から成る被係合部と係合する手段が蓋体１１側から分離されるために、蓋体１１は容易に取外すことが可能になる。
【００２６】
このように外周壁２６を縦方向薄肉部３３と周方向薄肉部３２とによって除去した場合には、その状態が目視によって確実に認識することができる。従って流通段階の途中で、あるいはまた販売段階において蓋体１１を開封したかどうかが確実に認識できるようになり、蓋体１１それ自身に対してエビデンス性が付与される。
【００２７】
次に別の実施の形態を図６〜図８によって説明する。この実施の形態の容器本体１０は上記第１の実施の形態のそれと同一である。これに対して蓋体１１はその構成が若干異なっている。すなわち蓋体１１の外周壁２６はその中間位置に段部か形成されるとともに、この段部の部分に周方向薄肉部３２が形成されるようになっている。そして周方向薄肉部３２よりも下側の位置において外周壁２６の内周面に係合爪３０が形成されるとともに、周方向薄肉部３２よりも上側の部分において外周壁２６の内側に係合用リブ４０が形成されるようになっている。
【００２８】
すなわち本実施の形態に係る蓋体１１はその外周壁の上側の内周面に係合用リブ４０が形成されるとともに、周方向薄肉部３２によって分離される外周壁２６の先端側の内周面に係合爪３０を形成するようにしている。
【００２９】
このような蓋体１１は内容物を充填した容器本体１０の上部開口１２に容易に装着することができる。すなわち蓋体１１を容器本体１０の上部開口１２に装着すると、まず係合爪３０が容器本体１０のカール部１６から成る被係合部を越え、外周壁２６の内側であって周方向薄肉部３２よりも上側に設けられている係合用リブ４０がカール部１６と係合された状態になり、この状態で蓋体１１は容器本体１０に係止されるようになる。
【００３０】
このような蓋体１１をそのままの状態で開封を行なおうとすると、係合用リブ４０がカール部１６を乗越えても、アンダーカットの係合爪３０がカール部１６を乗越えることがないので、開封が妨げられる。
【００３１】
すなわち開封を行なう場合には、まず縦方向薄肉部３３によって外周壁２６の周方向薄肉部３２よりも先端側の部分を縦方向に切断し、さらに周方向薄肉部３２によって外周壁２６の先端側の部分を除去する必要がある。これによって係合爪３０が形成されている外周壁２６の先端側の部分が除去されることになる。そしてこの後に蓋体１１を取外すと、係合用リブ４０がカール部１６から離脱し、容器本体１０の上部開口１２が開放される。
【００３２】
そして蓋体１１は開封された状態において、外周壁２６の周方向薄肉部３２よりも上側の部分が残存することになり、しかも残存した部分の先端側の内周面に係合用リブ４０が形成されているために、開封した後再び蓋体１１によって容器本体１０を再封することが可能になり、このときに係合用リブ４０が容器本体１０のカール部１６に係合されて安定に保持されることになる。
【００３３】
このように本実施の形態においては、容器本体１０に蓋体１１を一旦装着すると、容器本体１０および蓋体１１を元の原形を残して開封することができない。すなわち開封を行なう場合には蓋体１１の周方向薄肉部３２よりも先端側の部分を切断して分離する必要がある。このように外周壁２６の先端側の部分を分離除去すると、開封したことを外観によって容易に認識することが可能になる。しかも開封した後においても、外周壁２６の上半部分と係合用リブ４０とによって再封嵌合を行なうことができ、容器本体１０内の残容物を安全に保管できるようになる。
【００３４】
なお上記２つの実施の形態において、蓋体１１によって上部開口１２が閉塞される容器本体１０は紙を主材料とするカップ状の簡易容器から構成されているが、必ずしも容器本体１０は紙製の簡易容器である必要はなく、合成樹脂製の容器、ガラス容器、金属容器等の各種の材料の容器であってよい。
【００３５】
次に上記２つの実施の形態に用いられている蓋体１１であって、外周壁２６の内周面にアンダーカットの係合爪３０が形成されている蓋体１１の成形装置について説明する。
【００３６】
図９〜図１２に示すように、この成形装置のコア側の部分はベース４５を備え、その中央部に突柱４６が突設されている。このような突柱４６の外周側には固定型４７と回転型４８とがそれぞれ組合わされるようになっている。回転型４８は上記係合爪３０の数だけ設けられており、係合爪３０の間隔に相当する回転角度だけ固定型４７に対して回転可能になっている。しかも複数の回転型４８は互いに連結部４９によって連結された状態になっている。そして固定型４７と回転型４８の外周側には取出しリング５０が配されている。
【００３７】
図９はこのようなコアから成る成形型によって蓋体１１を射出成形する状態を示している。蓋体１１を成形する樹脂をキャビティに射出したならば、この後に図１０に示すように、固定型４７をベース４５とともに固定しておき、これに対して回転型４８を上方に所定のストロークだけ移動させる。そしてこの後に固定型４７に対して回転型４８を係合爪３０の周方向の寸法に相当する角度だけ回転させる。
【００３８】
すると回転型４８に形成されている凹部５１であって係合爪３０を係止する凹部５１が係合爪３０から図１１に示すように離脱する。従ってこのような状態において、取出しリング５０を図１２に示すように回転型４８に対して軸線方向に移動させることによって、射出成形された蓋体１１が成形型から取出されることになる。
【００３９】
このように蓋体１１の外周壁２６に形成される係合爪３０を円周方向に間欠的に設けるようにし、係合爪３０間に係合爪３０の円周方向の長さ以上のギャップを形成しておくことによって、回転型４８を有する成形型を用いて射出成形を行なうことができる。しかも成形後に回転型４８を回転させて凹部５１が係合爪３０と係合しない位置へ移動させることによって、取出しリング５０を用いて回転型４８から蓋体１１を取出すことが可能になり、射出成形による蓋体１１の一体成形が可能になる。
【００４０】
【発明の効果】
以上のように本発明は、上部開口を閉塞するように蓋体を装着して成る蓋付き容器において、容器本体の上部開口の周縁部において半径方向外周側に突出するように設けられている被係合部と、蓋体の外周壁の内周面に形成されており、容器本体の被係合部と係合されるアンダーカットの係合爪と、蓋体の外周壁の係合爪が形成されている部分を分離切断するための切断誘導部と、を具備し、係合爪は逆スカート状であって、その断面形状が基端側の方が肉厚で先端の方が肉薄になっており、蓋体の周方向に沿って間欠的に形成され、蓋体には半径方向外周側に突出するように押え部が形成され、該押え部が周方向の係合爪が欠如する位置で容器本体の開口の周縁部を内側から外周側に押圧するようにしたことを特徴とする蓋付き容器に関するものである。
【００４１】
従って容器本体の被係合部がアンダーカットの係合爪と係合した状態で蓋体が装着されて上部開口を閉塞するようになっているために、切断誘導部によって外周壁の係合爪が形成されている部分を分離切断しなければ開封を行なうことができなくなり、開封したことが目視によって容易に判断されるようになる。これによって蓋付き容器に対してエビデンス性を付与できるようになる。また蓋体には半径方向外周側に突出するように押え部が形成され、該押え部が容器本体の開口の周縁部を内側から外周側に押圧するようにしているために、押え部によってアンダーカットの係合爪が容器本体の被係合部から脱落するのが確実に防止されるようになり、より高いエビデンス性が付与される。
【００４２】
切断誘導部が外周壁と蓋体の外周側上面部とのエッジの部分に形成されている周方向の薄肉部と、外周壁の円周方向の所定の位置を切断する縦方向の薄肉部とから構成されるようにすると、縦方向の薄肉部と周方向の薄肉部とをそれぞれ切断することによって、係合爪が形成されている外周壁を分離切断することが可能になり、これによって蓋体を取外すことが可能になる。
【００４４】
また別の発明は、上部開口を閉塞するように蓋体を装着して成る蓋付き容器において、容器本体の上部開口の周縁部において半径方向外周側に突出するように設けられている被係合部と、蓋体の外周壁の内周面に形成されており、容器本体の被係合部と係合される係合用リブと、蓋体の外周壁の先端側の内周面に形成されており、容器本体の被係合部を乗越えて蓋体の脱落を防止するアンダーカットの係合爪と、蓋体の外周壁の係合爪が形成されている部分を分離切断する切断誘導部と、を具備し、係合爪は逆スカート状であって、その断面形状が基端側の方が肉厚で先端の方が肉薄になっており、蓋体の周方向に沿って間欠的に形成され、切断誘導部は外周壁の高さ方向の中間位置に形成されている周方向の薄肉部と、周方向の薄肉部と外周壁の先端部とを連結する縦方向の薄肉部とから構成されていることを特徴とする蓋付き容器に関するものである。
【００４５】
従って本発明によれば、アンダーカットの係合爪によって、この係合爪が形成されている部分を切断誘導部に沿って分離切断しなければ蓋体を取外すことができず、これによって一旦蓋体を開封した場合にはそのことが容易に目視によって判断でき、エビデンス性が付与される。また切断誘導部が外周壁の高さ方向の中間位置に形成されている周方向の薄肉部と、周方向の薄肉部と外周壁の先端部とを連結する縦方向の薄肉部とから構成されるために、縦方向の薄肉部と周方向の薄肉部とを切断することによって、アンダーカットの係合爪が形成されている部分が分離切断され、しかも係合用リブが蓋体側に残るようになる。
【００４６】
また係合爪が形成されている部分を切断誘導部に沿って分離切断しても、蓋体側に係合用リブが残存するために、このような係合用リブを用いて蓋体によって容器本体の再封を図ることが可能になり、容器本体内の残容物の保護が図られる。
【００４８】
外周壁には高さ方向の中間位置に段差が形成されており、該段差に周方向の薄肉部が形成されるようにすると、段差の部分において外周壁が分断され、先端側の部分が除去されることになる。
【図面の簡単な説明】
【図１】第１の実施の形態の蓋付き容器を示す分解斜視図である。
【図２】蓋体の底面図である。
【図３】蓋体を装着した容器本体の一部を破断した正面図である。
【図４】蓋体と容器本体との係合を示す拡大縦断面図である。
【図５】外周壁を切断した状態の蓋体の拡大縦断面図である。
【図６】
第２の実施の形態の蓋体の底面図である。
【図７】蓋体を装着した容器本体の一部を破断した正面図である。
【図８】蓋体と容器本体との係合部の構造を示す要部拡大縦断面図である。
【図９】蓋体を成形する金型のコア側の部分の縦断面図である。
【図１０】回転型の回転の動作を示す縦断面図である。
【図１１】回転型が回転された状態の縦断面図である。
【図１２】蓋体の取外しを示す縦断面図である。
【図１３】従来の成形型の縦断面図である。
【図１４】蓋体の取外し動作を示す縦断面図である。
【図１５】別の従来の成形型の縦断面図である。
【図１６】同蓋体の取外し動作を示す縦断面図である。
【図１７】さらに別の従来の成形型を示す縦断面図である。
【図１８】同蓋体の取外し動作を示す縦断面図である。
【符号の説明】
１０  容器本体
１１  蓋体
１２  上部開口
１６  カール部（被係合部）
１７  底板
１８  周璧部
１９  折返し部
２３  凹部
２４  内側壁部
２５  上面部
２６  外周壁
３０  係合爪
３１  押え部
３２  周方向薄肉部
３３  縦方向薄肉部
３４  リブ
４０  係合用リブ
４５  ベース
４６  突柱
４７  固定型
４８  回転型
４９  連結部
５０  取出しリング
５１  凹部
５４  コア
５５  凹部
５６  取出しリング
５８  分割型
５９  円錐台状コア
６２  入子
６５  蓋体
６６  外周壁
６７  係合用リブ
６８  係合爪
６９  開口
【図１】
0003753807.tif 000002
【図２】
0003753807.tif 000003
【図３】
0003753807.tif 000004
【図４】
0003753807.tif 000005
【図５】
0003753807.tif 000006
【図６】
0003753807.tif 000007
【図７】
0003753807.tif 000008
【図８】
0003753807.tif 000009
【図９】
0003753807.tif 000010
【図１０】
0003753807.tif 000011
【図１１】
0003753807.tif 000012
【図１２】
0003753807.tif 000013
【図１３】
0003753807.tif 000014
【図１４】
0003753807.tif 000015
【図１５】
0003753807.tif 000016
【図１６】
0003753807.tif 000017
【図１７】
0003753807.tif 000018
【図１８】
0003753807.tif 000019